(57)【特許請求の範囲】
【請求項１】
外枠の一側部上下に設ける蝶着部材と、前枠の一側部上下に設ける蝶着部材とをそれぞれ支軸を介して蝶着連結し、前記外枠の開口部に前記前枠を開閉自由に取付けてなるパチンコ機において、
前記外枠には前記開口部の下縁に係止部材を装着し、他方該係止部材に対応する前記前枠には下縁部に係合部材を装着して前記支軸を支点に前記前枠を前記外枠に向けて閉塞したとき、前記係止部材と前記係合部材とを対向させると共に、前記係止部材は前記開口部の下縁上面に固定する取付基板と該取付基板から立設し上端に前方に向けて突き出す爪を備える係止爪片とから構成し、他方前記係合部材はばね性を有する金属板で断面Ｌ字形に形成し、前方に向けて徐々に下り勾配の傾斜面とする一方の水平な片を前記前枠の下縁部の下面に添わせ、他方の起立する垂直片を前記前枠の前記下縁部の背面に添わせて固定すると共に該垂直片の前記係止爪片の爪に向き合う位置に係止穴を形成し、前記前枠の閉塞時には前記係合部材の水平な片を前記係止部材の前記取付基板上に乗り上げさせると共に前記垂直片を前記係止爪片に当接し、同時に前記係止穴に前記係止爪片の爪を係脱自由に係合させて前記係止部材と前記係合部材とを連結係合し、前記前枠を前記外枠の開口部に固定することを特徴としたパチンコ機における前枠の固定装置。
【発明の詳細な説明】
【０００１】
【発明の属する技術分野】
本発明は、パチンコ機に関するもので、特に外枠に対して一側縁を蝶着し、開閉自由に取付けられる前枠を外枠の開口部に閉じ合せたときガタ付くことなく閉塞できるようにしたパチンコ機の前枠の固定装置に関する。
【０００２】
【従来の技術】
周知の様にパチンコ機における前枠はパチンコホールに設けられる取付台に直接固定される外枠に対して一側縁を蝶着して開閉自由に取付けられ、前枠に組付けられる機構部品類に支障を生じたときや、遊技板を交換するとき、或いは保守や点検の際前方に引き出すように開放してその内部や背面部の作業が簡単に行えるようにしてある。
【０００３】
この前枠はパチンコ機に装備される殆どの装置，部品類を組付けることから、かなりの重量物となっており、そのため蝶番には前枠の重量に耐えられる堅牢な金属製蝶番が使用されている。しかし、この前枠を支持する外枠が木枠であることや、前枠の開閉操作を楽に、また円滑に行うため予め蝶番の支軸の間に融通性がもたせてあることから通常の場合前枠は外枠の開口部内に閉じ込められた状態においても多少のガタが生ずるようになっている。
【０００４】
【発明が解決しようとする課題】
しかし、閉塞された状態における前枠のガタ付きはパチンコ機の輸送時に部品や装置類に衝撃を与えることになり故障の原因となったり、或いは使用時に遊技者が発射装置のハンドルに手を掛けて故意に揺すったり、或いは無理に持ち上げて前枠を傾かせ装置を不正常に働かせて不正行為をしたりすることがある。
本発明は、この様な故障の原因となったり、不正行為が行われることに鑑み、前枠を閉塞したとき外枠との一体性を強めてガタ付きを防止するようにした前枠の固定装置を提供せんとするものである。
【０００５】
【課題を解決するための手段】
即ち、本発明は上述目的を達成するため、外枠の開口部下縁には係止部材を備え、またこの外枠の一側縁に蝶着部材により開閉自由に蝶着される前枠には下縁部の前記係止部材に対応する位置に係合部材を備えて前枠の閉塞時に当該係止部材と係合部材を係脱自由に結合させて一体化を図り閉塞時における前枠のガタ付きを防止するようにしたパチンコ機の前枠の固定装置を提供することにある。
【０００６】
上記本発明を更に詳述すれば、外枠の一側部上下に設ける蝶着部材と前枠の一側縁上下に設ける蝶着部材とをそれぞれ支軸を介して蝶着連結し外枠の開口部に前枠を開閉自由に取付けてなるパチンコ機において、外枠の開口部下縁に係止部材を装着し、また該係止部材に対応する前枠の下縁部には係合部材を装着して前枠の閉塞時に当該両部材を係脱自由に結合し、固定することを特徴としたパチンコ機における前枠の固定装置を提供することにある。
【０００７】
また、本発明は上記前枠の固定装置において、前記係止部材は板状の取付基板と該取付基板上に立設して前方に向けて爪を突き出す係止爪片とを備え、外枠の開口部下縁の上面に前記取付基板を載置固定し、他方係合部材は断面Ｌ字形に形成して一方の片を前枠下縁部の下面に添わせ、他方の垂直片を背面に添わせて固定すると共に、該垂直片に係止穴を設けて前記係止爪片を係脱自由に係合させ係止部材と係合部材とを結合するようにしたパチンコ機における前枠の固定装置を提供することにある。
【０００８】
また本発明は、上記係合部材の一方の片は下面を水平面に対して前縁部が下になる傾斜面に形成してなることを特徴としたパチンコ機における前枠の固定装置を提供することにある。
【０００９】
また更に、本発明は前記外枠の下方の蝶着部材には前方に向けて爪を突き出す係止爪片を設け、他方前枠の下方の蝶着部材には上記係止爪片を係脱自由に掛け止める係合凹部を設けて前枠の閉塞時に当該係止爪片と係合凹部とを結合させることを特徴としたパチンコ機における前枠の固定装置を提供することにある。
【００１０】
【実施の形態】
次に上述した本発明の固定装置を図面に示す具体例を以て更に詳述し、その特徴とするところを明らかにする。
図面に示す形態は本発明装置の一例であって、図１は本発明に係るパチンコ機の斜視図、図２は外枠と前枠とを分離し要部を明らかにした斜視図で、図３は外枠から外した前枠の背面図、図４は外枠と前枠の下方の蝶着部材の結合状態を説明する斜視図、図５は係止部材と係合部材の結合状態を前面側から見た拡大斜視図で、図６は図５に示す係止部材と係合部材を背面側から見た拡大斜視図であり、図７は外枠と前枠に取付けられた係止部材と係合部材の結合状態を示す拡大中央縦断右側面図である。
【００１１】
図面における符号１は外枠であり、２はこの外枠の開口部を閉ざすように嵌め付けられる前枠である。
外枠１は所要の幅員をもった木板を矩形に組んで中空の枠体に形成してあり、開口する前面の下縁には枠板３を渡して開口部４の下縁を形ち作っている。
一方、前枠２はここでは合成樹脂を素材に額縁形に形成してその前面には窓を塞ぐようにガラス枠を蝶着するガラス飾り枠５と上皿枠６を上下に並べてそれぞれ左側縁部を図示しない蝶着部材を介して蝶着し取付けてあり、その下方には前枠の下縁部７の前面を被うように下皿枠８を一体に固着して前枠前面の全体を被うようにしてある。
【００１２】
前枠２の背面には遊技板（図示せず）を収め、機構部品類を装備する機構枠９が固定され、前面側に装着する遊技板を前記ガラス飾り枠５の窓を通して覗けるようにしてあり、またこの機構枠９の背面には図３に示したように貯留タンク１０、賞球装置１１、賞球樋１２、セーフ球寄せ１３、セーフ球制御装置１４や、遊技板面に備えられる入賞装置をコントロールする制御回路ボックス１５等の諸装置、部品類が装備される。
【００１３】
上記前枠２は既に知られるように左側縁部を外枠の左側部に上下それぞれ備える対をなす蝶着部材を介して連結し取付けられるものとなっており、図中１６は外枠１の上部に取付けられる蝶着部材、１７はこれに対応させて前枠２の左側縁上部に取付けられる蝶着部材で、両者は前枠側の蝶着部材１７に立設する支軸（図示せず）を外枠側の蝶着部材１６に軸承させることによって連結し、この支軸を支点に回動自由に組合うものとなっている。
【００１４】
また図面において、１８は外枠１の下方の蝶着部材で、１９はこれに対応させて前枠２の下部に取付けた蝶着部材である。
図２及び図４に示されるように蝶着部材１８は金属板をＬ字形に屈曲させてその一方の水平な片１８ａの前縁部近くに支軸２０を立設し、更にこの片１８ａの上面に切起こしによって前方に向けて爪２１を突き出す係止爪片２２を立設すると共に後縁部に直角に垂らす当板２３を設け、この当板２３と他方の片１８ｂにねじ止めするための透孔２４をそれぞれ設けている。
【００１５】
その一方、前枠側の蝶着部材１９は上記同様に金属板をＬ字形に屈曲させて形成したもので、水平な片１９ａの前縁部には前記支軸２０を受け入れ軸承するための軸受孔２５を備え、他方の垂直に起立する片１９ｂには前記係止爪片２２と係合するスリット状の係合凹部２６が設けてある。
【００１６】
外枠側の蝶着部材１８は図示の如く、水平な片１８ａを枠板３の上面に載せ、他方の片１８ｂを外枠の左方の枠板の内側面に添わせて開口部４の左方下端のコーナー部に位置させ、各透孔２４に通す止めねじ２７によって固着し、片１８ａの前縁部に設ける支軸２０を開口部４の前方、つまり枠板３の前面より前に位置するように取付けている。
【００１７】
この外枠側の蝶着部材１８に対し、前枠側の蝶着部材１９は水平な片１９ａを前枠の下縁部の下面に添わせてその前縁部に設ける軸受孔２５を前枠前面の前方に突き出させ、その一方起立する片１９ｂを前枠の背面に添わせ、これに設ける透孔２８に止めねじを通して前枠に止め付けるようにしてある。
【００１８】
この下部の２つの蝶着部材１８，１９は外枠１に対して前枠２を前方に開いた状態のとき外枠側の蝶着部材１８の支軸２０に他方の蝶着部材１９の軸受孔２５を上から嵌め付け軸承させて重ね合わせに組合せられ、この組合せによって前枠２を外枠１に開閉自由に取付けることになる。そして開放した状態から前枠２を支軸２０を支点に閉じ合せたとき、前枠側の蝶着部材１９に設ける係合凹部２６を外枠側の蝶着部材１８に設ける係止爪片２２の爪２１に掛け止め、この閉塞時における両蝶着部材１８，１９を二重に結合させ連結することになる。
【００１９】
尚、図示する例では係合凹部２６を横長のスリット状に形成し、これに係合する係止爪片２２を所要の横幅をもった板片状にして先端の爪２１を係合凹部２６に割込むように形成したが、この両者の形成位置を整合させることは勿論であるが、スリットの幅と爪２１の肉厚とを近づけて両者の係合時の一体性を図ると外枠と前枠との結合を一層高いものとすることができる。
【００２０】
図中、２９は外枠１の開口部４の下縁に当たる枠板３の上面に取付けた係止部材であり、また３０はこの係止部材２９に対応する前枠２の下縁部に固着した係合部材である。
【００２１】
係止部材２９は図２並びに図５，図６に示されるように金属板をアングル状に直角に折曲げ、水平をなす取付基板２９ａと、垂直な当板２９ｂとを設けると共に、取付基板２９ａの一部を折曲げ部から切起こして係止爪片３１を設け、その先端部に前方に向けて鉤形に突き出す爪３２を設けている。
【００２２】
上記取付基板２９ａは枠板３の上面の幅に合せてあり、前縁部には下に向けて折り返す縁板３３を備え、この縁板３３を枠板３の前面に添わせながら垂直な当板２９ｂを枠板３の背面に添わせて取付基板２９ａを枠板３の上面に載置し、枠板の前面側から透孔３４を通してねじ付ける止めねじ３５を当板２９ｂに設ける雌ねじ孔３６にねじ付けることによって固定される。
【００２３】
一方、係合部材３０はやゝばね性を有する金属板を略アングル形に折曲げて形成してあり、一方の垂直片３０ａには前記係止部材２９の係止爪片３１を結合するスリット状の係止穴３７と、止めねじ３８を通す透孔３９が設けてあり、またこの垂直片３０ａから略直角に延設される他方の片３０ｂは前方に向けて徐々に下がり勾配となるよう傾斜面に形成してあり、その前縁部から折り返し状に縁板４０が延設してある。
【００２４】
係合部材３０は前記係止部材２９の取付位置に対応する前枠２の下縁部７に取付けられるもので、ここでは垂直片３０ａを下縁部７の背面に添わせ、水平な他方の片３０ｂを下縁部７の下面に添わせてその前縁部から延設される縁板４０を下縁部７の前面に添わせ、この三者で下縁部を包むようにして透孔３９に通す止めねじ３８によって前枠２に固着される。
【００２５】
前記上下の蝶着部材の結合によって外枠１に蝶着された前枠２は、支軸２０を支点に閉塞されるとき、外枠の開口部４に収まる直前に下縁部７の上記係合部材３０を係止部材２９に臨ませ、取付基板２９ａに水平な片３０ｂを摺り合せるようにして乗り上げ、開口部４に収められる。
このとき係合部材３０は片３０ｂの傾斜面により係止部材２９の取付基板２９ａの前縁部との衝合を回避し、勾配を案内にして取付基板上に円滑に誘導されることになる。このため前枠２の重量により揺動側端部（前枠の右側部）が下り状態となることから衝突するところを有効に回避されることになる。
【００２６】
上記取付基板２９ａ上に乗り上げる係合部材３０は基板２９ａ上に起立する係止爪片３１に垂直片３０ａを当接させ、前枠２の閉塞を止めると同時に、この垂直片３０ａに設ける係止穴３７に爪３２を係入させて前枠２を一定の閉塞位置に拘束することになる。
【００２７】
以上説明の様に本発明は構成されるもので、上下の対をなす蝶着部材によって開閉自由に蝶着される前枠２は開放状態から閉塞されるとき、一方においては下部の蝶着部材１８，１９に設ける係止爪片２２と係合凹部２６との係合によって結合され持ち上げ方向の移動が拘束され、また他方においては係止部材２９と係合部材３０に設けた係止爪片３１と係止穴３７との係合によって一体的な結合がなされ、上方への移動は勿論のこと左右方向への移動も拘束されることになり外枠開口部４内にしっかり収められることになる。
【００２８】
この前枠２の閉塞において特に蝶着側より離れた位置に設けられる係止部材２９と係合部材３０の結合は移動の自由性がある前枠の自由端側を固定することから有効に作用することになり、ガタ付きを防止する上で効果的なものとなる。
尚、図面の例では係止部材２９と係合部材３０をパチンコ機の中央部より右寄りの位置に設けたが、更に右側に位置を変えて設置してもよく、これらは設計者において適宜選択されるところである。また、枠板３に固着される係止部材２９の前面を隠すためこの枠板の前面にはカバーを装着するとよい。
【００２９】
ところで、前記図示する本発明の実施の例では蝶着部材１８と１９の結合のため蝶着部材１８には係止爪片２２を設け、他方の蝶着部材１９には係合凹部２６を設けてこの係合凹部に爪２１を掛け止める構造にしたが、これとは逆に係止爪片２２に係合凹部を設け、これに対面させて片１９ｂに爪を設けて掛け合わせるようにしても本発明を実施することができる。
【００３０】
また同様に、係止部材２９と係合部材３０において、係止片３１に係止孔を設け、これに対応するように係合部材３０の垂直片３０ａに爪を設けて前枠２の閉塞時にこの両者を係合させるようにしても本発明の実施は可能である。
【００３１】
【発明の効果】
以上の説明によって明らかな様に本発明によれば、前枠２の閉塞時に蝶着部材１８，１９の係止爪片２２と係合凹部２６との係合があり、更に係止部材２９と係合部材３０に設ける係止爪片３１と係止穴３７の係合があって外枠開口部４にしっかり固定されることからガタ付きを解消することができると共に、上記係止部材２９と係合部材３０の衝合によって前枠２は常に定位置に止められ閉塞されることから外枠１に対して傾いて取付くこともなく安定した設置状態が得られることになる。
【００３２】
また、本発明は前枠２の閉塞時に外枠の開口部４の下縁に設ける係止部材２９に対して下縁部７に設ける係合部材３０を乗り上げるようにして両者の結合をなすと共に、係止部材２９の取付基板２９ａに水平な片３０ｂの傾斜を利用して円滑に誘導することとしたことから重量のある前枠２を楽に閉塞することができる利点がある。
【図面の簡単な説明】
【図１】本発明に係るパチンコ機の斜視図。
【図２】外枠と前枠とを分離し要部を明らかにした斜視図。
【図３】外枠から外した前枠の背面図。
【図４】外枠と前枠の下方の蝶着部材の結合状態を説明する斜視図。
【図５】係止部材と係合部材の結合状態を前面側から見た拡大斜視図。
【図６】図５に示す係止部材と係合部材を背面側から見た拡大斜視図。
【図７】外枠と前枠に取付けられた係止部材と係合部材の結合状態を示す拡大中央縦断右側面図である。
【符号の説明】
１          外枠
２          前枠
３          外枠下部の枠板
４          外枠の開口部
７          前枠の下縁部
１８        外枠下方の蝶着部材
１９        前枠下方の蝶着部材
２０        支軸
２１        係止爪片の爪
２２        係止爪片
２６        係合凹部
２９        係止部材
２９ａ      係止部材の取付基板
２９ｂ      係止部材の垂直片
３０        係合部材
３０ａ      係合部材の垂直片
３０ｂ      係合部材の水平な片
３１        係止爪片
３２        爪
３７        係止穴
【図１】
0003634905.tif 000002
【図２】
0003634905.tif 000003
【図３】
0003634905.tif 000004
【図４】
0003634905.tif 000005
【図５】
0003634905.tif 000006
【図６】
0003634905.tif 000007
【図７】
0003634905.tif 000008